(57)【要約】【課題】トイレ内から外部に容易に通報することができる警報システムを提供することを目的とする。【解決手段】トイレ毎に配置された、予め固有の識別情報を記憶する端末１２ａと、前記識別情報と前記識別情報に対応する前記トイレの位置とをテーブル形式のデータとして記憶する管理用サーバ１０とを有し、前記端末は、前記トイレの利用者があるキー操作或いは専用の警報ボタンを押下すると、管理用サーバにアクセスして前記識別情報を送信する機能を有し、前記管理用サーバは、前記端末から前記識別情報が送られてきたときに、その端末の位置をディスプレイに表示すると共に、警報を発する機能を有することを特徴とする。【選択図】図１
2004005743.tif 000002
【特許請求の範囲】
【請求項１】
　トイレ毎に配置された、予め固有の識別情報を記憶する端末と、前記識別情報と前記識別情報に対応する前記トイレの位置とをテーブル形式のデータとして記憶する管理用サーバとを有し、
　前記端末は、前記トイレの利用者があるキー操作或いは専用の警報ボタンを押下すると、管理用サーバにアクセスして前記識別情報を送信する機能を有し、
　前記管理用サーバは、前記端末から前記識別情報が送られてきたときに、その端末の位置をディスプレイに表示すると共に、警報を発する機能を有することを特徴とする警報システム。
【請求項２】
　各場所毎に予め付与され表示される固有の識別情報と、各場所毎に表示される管理用ホームページのアドレスと、前記管理用ホームページが設けられている管理用サーバと、前記管理用サーバから情報の提供を受ける端末と、を備え、
　前記管理用サーバは、前記識別情報と前記識別情報に対応する情報とをテーブル形式のデータとして記憶する記憶部を有し、前記端末が前記管理用サーバにアクセスしたときに前記端末に前記識別情報の入力及び送信を行なうための画面を表示し、前記画面を用いて前記端末から識別情報を入力して送信してきたときに、前記記憶部の前記テーブルを参照して前記端末から送られてきた識別情報に対応する前記場所と関連のある情報を前記端末に表示することを特徴とする情報提供システム。
【請求項３】
　前記端末は、固有の識別情報を記憶し、前記トイレの利用者があるキー操作或いは専用の警報ボタンを押下すると、前記管理用サーバにアクセスして前記識別情報を送信する機能を有し、
　前記管理用サーバ、前記端末から前記識別情報が送られてきたときに、その端末の位置をディスプレイに表示すると共に、警報を発する機能を有することを特徴とする請求項２記載の情報提供システム。
【発明の詳細な説明】
【技術分野】
【０００１】
　本発明は、例えば、不特定の人が使用するトイレ等の場所において、その場所と関連のある情報を提供する情報提供システム及び警報システムに関するものである。
【背景技術】
【０００２】
　近年、インターネット等を使用したオンライン広告が利用されている。係るオンライン広告では、バナー広告表示や広告表示専用プログラムを用いた広告表示が行われている。利用者は、バナー広告等をクリックすることにより、広告主のホームページにジャンプしたり、製品を注文したりすることができる。
【０００３】
【特許文献１】特開平８−２４１０９１号公報
【発明の開示】
【発明が解決しようとする課題】
【０００４】
　しかしながら、従来のオンライン広告では、広告主が利用者を絞り込むことができないので、期待するほどの広告効果が得られないという問題があった。例えば、女性用の生理用品を扱う会社では、成年の女性だけに広告を見て欲しいのに、従来のオンライン広告では、男性をも対象として広告を行わざるを得ないという問題があった。
【０００５】
　また、従来のトイレでは、例えば、高齢者がトイレ内で倒れたときに、外部に連絡する手段がないという問題があった。
【０００６】
　本発明は上記事情に基づいてなされたものであり、対象者を絞り込んだ効果的なオンライン広告等の情報提供を行うことができる情報提供システムを提供することを目的とする。
【０００７】
　本発明は上記事情に基づいてなされたものであり、トイレ内から外部に容易に通報することができる警報システムを提供することを目的とする。
【課題を解決するための手段】
【０００８】
　上記の目的を達成するための請求項１記載の発明は、トイレ毎に配置された、予め固有の識別情報を記憶する端末と、前記識別情報と前記識別情報に対応する前記トイレの位置とをテーブル形式のデータとして記憶する管理用サーバとを有し、前記端末は、前記トイレの利用者があるキー操作或いは専用の警報ボタンを押下すると、管理用サーバにアクセスして前記識別情報を送信する機能を有し、前記管理用サーバは、前記端末から前記識別情報が送られてきたときに、その端末の位置をディスプレイに表示すると共に、警報を発する機能を有することを特徴とする。
【０００９】
　　上記の目的を達成するための請求項２記載の発明は、各場所毎に予め付与され表示される固有の識別情報と、各場所毎に表示される管理用ホームページのアドレスと、前記管理用ホームページが設けられている管理用サーバと、前記管理用サーバから情報の提供を受ける端末と、を備え、前記管理用サーバは、前記識別情報と前記識別情報に対応する情報とをテーブル形式のデータとして記憶する記憶部を有し、前記端末が前記管理用サーバにアクセスしたときに前記端末に前記識別情報の入力及び送信を行なうための画面を表示し、前記画面を用いて前記端末から識別情報を入力して送信してきたときに、前記記憶部の前記テーブルを参照して前記端末から送られてきた識別情報に対応する前記場所と関連のある情報を前記端末に表示することを特徴とするものである。
【００１０】
　また、前記情報は広告であり、前記端末から送られてきた識別情報に対応する情報を表示するとは、広告主のホームページを表示するものであってもよい。
【００１１】
　また、前記管理用サーバは、曜日或いは時間により表示する情報を変更するように
してもよい。
【００１２】
　また、前記場所はトイレであり、前記識別情報及び前記管理用ホームページのアドレスは、前記トイレ内のトイレットペーパホルダに表示されるようにしてもよい。
【００１３】
　また、前記識別情報は、少なくとも前記トイレの地理的位置、トイレを設置した事業主の業種、及び性別に応じて異なるものであってもよい。
【発明の効果】
【００１４】
　また、本発明の警報システムによれば、利用者はトイレに配置してある端末のキー或いは専用ボタンを操作することにより、管理者は容易にトイレの位置を確認することができ、この結果、トイレの利用者、特に高齢者がトイレで倒れたときに、迅速に救助活動を行うことが可能となる。
【００１５】
　本発明の情報提供システムによれば、各場所毎に、予め固有の識別情報を付与し、ホームページのアドレスと共に、その識別情報を表示しておき、端末からホームページにアクセスがあったときに、端末から送られてきた識別情報に対応する情報を、その端末に表示することにより、対象者を絞り込んだ効果的なオンライン広告等の情報提供を行うことができる。
【発明を実施するための最良の形態】
【００１６】
　以下に、本発明の１実施形態について図面を参照して説明する。図１は、本発明の１実施形態である情報提供システムの概略図である。本実施形態の情報提供システムは、インターネットを利用した広告を行うためのシステムであり、管理用ホームページへのアクセス履歴の管理及び広告する場所の変更・更新等を行う管理用サーバ１０と、複数の広告主サーバ１１ａ，１１ｂ，１１ｃ，・・・と、端末１２ａ，１２ｂ，・・・とを含むものである。１００は、識別番号等のデータを記憶する記憶部である。なお、本発明は、インターネットに限定されるものではなく、端末と管理用サーバとは、専用回線等で接続するようにしてもよい。また以下では、大勢の人が出入りする場所、例えば、役所、公園、商店、テナントビル、工場、空港、電車の駅、劇場、大学等の学校、デパート、ファミリーレストラン、カラオケ店、コンビニエンス・ストア等のトイレに広告を行う場合について説明する。
【００１７】
　予め、各トレイ内には、管理者用ホームページのアドレスとともに、識別番号を表示しておく。この識別番号は、各トイレが設置されている場所の地理的位置、トイレを設置した事業主の業種、性別等に基づいて区分して付与する。管理用サーバ１０は、トイレの利用者が管理用ホームページにアクセスしたときに、この識別番号により、アクセスしてきた利用者のトイレがどの場所に設けられたものであるのか、男性用であるのか女性用であるのか等を知ることができる。識別番号は、管理用サーバに設けられている管理者用ホームページのアドレスとともに、例えば各トイレ内の便座シートの包装や、トイレットペーパホルダ等に表示しておく。識別番号は、数字だけでなく、アルファベットや記号等を使用してもよい。トイレットペーパホルダや便座シートは、トイレの利用者が必ず見るものであるから、これらのものに識別番号等を表示しておくことにより、利用者は容易に識別番号等を認識することができる。なお、識別番号の表示は、上記の場所に限定されるものではなく、トイレ内であれば、例えばトイレの壁面等であってもよい。
【００１８】
　便座シートの場合は、次のようにして表示する。一般に、便座シートは、小箱か袋で包装されている。便座シートは、紙を取り出し易いようにするために、包装の一部を切り取って、包装ごと、便座シートのホルダにセットする。利用者は、ホルダの取り出し口から一枚づつ取り出して使用する。このとき、従来の包装では、取り出し口からは便座シートしか見えず、包装は見えない。これに対して本実施形態では、包装の一部を切り取ってホルダに包装ごとセットするが、切り取り位置を工夫して、ホルダの取り出し口から包装の一部が見えるようにする。それと共に、見える包装の位置に管理者用ホームページのアドレスと識別番号を印刷して表示しておく。
【００１９】
　トイレットペーパは、包装紙なしで使用されるので、便座シートのように包装資材に印刷しても、利用者に識別番号等をアピールすることはできない。そこで、トイレットペーパホルダの正面に半透明のスライド式のカバーを設け、このカバーに識別番号等を印刷した紙を挟み込むことにより、識別番号等を表示する。なお、トイレットペーパホルダや便座シートのホルダに識別番号等を表示する場合には、識別番号等を印刷したシートを貼着するようにしてもよい。識別番号等をこのようにして表示することにより、簡単に識別番号等を変更することができる。
【００２０】
　トイレの利用者は、トイレットペーパホルダ等に表示されているホームページのアドレスを見て、そのホームページにアクセスすることができる。通常は、トイレと言う特殊な場所であるので、ホームページのアドレスと識別番号以外のものを表示しておく必要はないと考える。しかし、必要に応じて、アクセスの呼びかけ等の表示を合わせて表示するようにしてもよい。
【００２１】
　端末は、トイレの利用者自身が持っている携帯電話等の携帯用端末であってもよいし、或いは携帯端末と同等の機能を有する端末をトイレットペーパホルダに組み込んでおくようにしてもよい。具体的には、携帯電話であれば、ＮＴＴのｉモード（登録商標）のように、ホームページにアクセスして、文字情報を取得してディスプレイに表示することができるものであればよい。また、アクセス先が限定された携帯電話をトイレに配置しておくようにしてもよい。この場合、利用者は通話料を払うことなく、ホームページにアクセスすることができ、アクセス回数の向上を図ることができる。
【００２２】
　管理用サーバ１０の記憶部１００には、識別番号と広告主のホームページのアドレスとをテーブル形式のデータとして、記憶させておく。図２（Ａ）は、そのテーブル形式のデータの一例である。図２（Ａ）に示すテーブルでは、各識別番号毎に、曜日に応じた広告主のホームページのアドレスが記載されている。このテーブルの内容は、必要に応じて書き換えられる。管理用サーバ１０は、端末からアクセスがあったときに、図２（Ａ）のテーブルを参照して、識別番号に応じた広告主のホームページにジャンプさせる。なお、図２（Ａ）に示すテーブルでは一の識別番号毎に、一のホームページのアドレスが記載されているが、一の識別番号毎に、複数のホームページのアドレスを記載するようにしてもよい。これにより端末に複数のホームページのアドレスを表示して、その中から利用者が選択したホームページにジャンプさせることができる。広告主は、必要に応じて、管理用サーバにアクセスして、広告するトイレを変更したり、中止したり、更新したりすることができる。また、管理用サーバは、何時、どのトイレ（識別番号）からどの広告主のホームページにアクセスがあったか等の履歴を記憶部１００に記憶して管理する。
【００２３】
　広告主サーバは、トイレに広告を行うことを希望し、予め管理用サーバに登録された広告主のホームページが設けられているサーバであり、既存のものを利用することができる。ところで、従来のオンライン広告の場合、広告主が、広告対象者を絞り込むことは不可能であった。しかしながら、本実施形態では、予め、広告主に対して、トイレの設置場所に関する情報を提供することができるので、広告主は、その情報に基づいて、希望する場所のトイレを指定することができる。広告主による指定は、オンラインで行えるようにしてもよい。図２（Ｂ）は、広告主が広告場所の指定を行うために管理用サーバにアクセスしたときに、広告主のコンピュータに表示される画面を示す図である。広告主は、この画面に基づいて、性別、地域、業種を設定する。管理用サーバは、この設定に基づいて図２（Ａ）に示すテーブルを作成・更新する。なお、設定内容は、図２（Ｂ）の記載に限定されるものではない。これにより、広告主は自己の製品に合った、効果的な広告を行うことができる。例えば、広告主は、女性用トイレだけ、或いは男性トイレだけ、或いは渋谷駅近辺のカラオケ店と言うように、広告対象者の絞り込みを行うことができる。
【００２４】
　次に、本実施形態の情報提供システムの処理手順について、図３を参照して説明する。図３は、管理用サーバにおける処理手順を示すフローチャートである。利用者が、例えば、空港内に設けられたトイレを使用しているときに、自分の携帯電話から、トイレットぺーパホルダに表示されているホームページのアドレスを入力して、ホームページにアクセスすると、この処理が開始される。ステップＳ１では、アクセスしてきた携帯電話の表示部に識別番号の入力を促す画面を表示する。利用者が識別番号を入力して送信すれば、ステップＳ２でその識別番号の受信を確認し、図２（Ａ）に示すテーブルを参照して、その識別番号に応じたホームページにジャンプさせる（ステップＳ３）。利用者は、そのホームページで、文字や音声により製品に関する情報を取得することができる。一方、ステップＳ２で識別番号の受信が確認できなければ、ステップＳ４に移行し、待ち時間が３分以内であれば、送信を待ち、３分経過後は、この処理を終了する。
【００２５】
　トイレの中に、直接的に製品等の表示をして広告をすると、トイレと言う場所柄、却ってその広告主や製品のイメージが悪くなることも考えられる。このため、従来は、殆どトイレの中での広告は行われていなかった。しかしながら、本実施形態によれば、トイレ内に表示されるのは、管理用ホームページのアドレスと識別番号だけであり、直接、製品や広告主を表示するものではないので、トイレの中と言う特殊な場所であっても、広告によりイメージが悪くなることはない。このように、トイレの中であっても、携帯用端末を介して、製品に関する情報を提供することにより、イメージダウンを避けて、しかも広告対象者を絞った効果的な広告を行うことができる。
【００２６】
　本情報システムでは、広告管理者は、広告主から、例えば広告主のホームページへの一回のアクセスに対して、或いは月毎に予め定めた所定の報酬（広告料）を受け取る。また、広告管理者は、トイレットペーパホルダを設置している事業主に、その報酬のなかから、予め定めた広告代金（広告料収入）を支払うこととする。これにより、広告主は広告対象者を絞り込んだ効果的な広告を行うことができ、トイレを設置した事業主は、広告料収入を得ることができるという、従来にない広告システムを提供することができる。
【００２７】
　上記の本実施形態によれば、トイレの中と言う限られた空間と限られた時間ではあるが、一人になれる空間での広告は、街頭やテレビや従来のインターネットを用いた広告に比べて、広告効果が大きい。また、利用者は、トイレを使用しながら、その利用しているトイレに関する情報を取得することができ、トイレの時間を有効に活用することができる。一方、広告主は、他の広告媒体に比べて広告対象者を絞り込んで、効果的な広告を行うことができる。
【００２８】
　また、上記の本実施形態によれば、管理者は、広告主に対して、予めトイレの設置場所に関する情報を提供し、広告主はその情報に基づいて広告を行うトイレを指定することにより、オンライン広告でも、広告対象者を絞り込んで効果的に広告を行うことができる。
【００２９】
　また、上記の本実施形態によれば、例えば、空港のトイレからアクセスした利用者に対しては、格安の航空券についての広告を行うようにすれば、他の場所で広告を行うより、広告対象者を絞り込んだ、効果的な広告を行うことができる。また、空港のトイレであれば、出発ロビーにあるのか、到着ロビーにあるのかで、或いは男性用と女性用とで広告の内容を変えることも容易である。また、普段の日はビジネスマンの利用が多いが、例えば連休中は家族旅行等のレジャー客が多いので、時期に応じて広告内容を変えることにより、広告対象者を絞った広告を効率よく行うことができる。一般的には、トイレの地理的位置とトイレを設置している事業者の業種と性別が分かると、容易に利用者層を特定することができる。渋谷駅の近辺にあるカラオケ店の女性用トイレであれば、女子高校生に絞った広告を効率よく行うことができる。
【００３０】
　また、上記の本実施形態によれば、広告管理者がトイレットペーパやトイレットペーパホルダの販売者（或いは提供者）である場合、本システムを利用することにより、既存の自己の流通機構を利用して、容易に本システムを実現することができる。また、トイレを設置した事業主である顧客に対しては、アクセスの履歴を参照してアクセスした回数に応じて広告による利益を広告料収入として還元し、例えばトイレットペーパやトイレットペーパホルダを無料で提供することも可能となる。したがって、顧客へのサービスの向上を図ることができ、顧客との結びつきがより強固なものとなる。このように、本実施形態によれば、広告管理者が有する顧客に関する情報及び流通機構を有効に活用して、効果的な広告を行うと共に、広告管理者の顧客に対してサービスの向上を図ることができる。
【００３１】
　また、本実施形態のシステムにより、バナー広告等による広告の広告料及び／又は広告料収入の決済を、トイレットぺーパ、ペーパタオル、便座シート、石鹸、芳香剤等の消耗品（以下、トイレ用消耗品とも称する。）の決済と一緒に行うことができる。更に、顧客自身も、このシステムを用いて広告を行うことができ、この場合の広告料は、自己の広告料収入と自動的に相殺され、自己の広告を簡易且つ低料金で行うことができる。これにより、伝票等を用いた既存のトイレ用消耗品の決済を有効に活用し、しかも広告料及び／又は広告料収入の決済を、銀行等の振込みを用いることなく、簡易に且つ安価で行うことができる。すなわち、トイレットペーパ等の販売者等（管理用サーバ）が、バナー広告等へのアクセス回数を管理し、広告料収入が発生したときには、顧客との間のトイレットペーパ等の決済において、この広告料収入の相殺を行う。また、例えば、トイレットペーパが問屋等を介して販売されている場合、トイレットペーパの製造業者或いは販売業者と問屋との間の決済において、相殺を行い。更に、この相殺が、最終的に問屋と顧客との間の決済に反映される。このように広告により生ずる料金の決済をクレジットカードや銀行振込み等を用いることなく、確実且つ安価に行うことができる。したがって、本実施形態によれば、顧客は、広告料収入を得ると共に、簡単に且つ安価で広告を行うことができ、しかも、これらの決済をトイレ用消耗品の決済において処理することができ、従来の広告方法に比べて、利用しやすく、しかも決済の容易なシステムを提供することができる。
【００３２】
　更に、上記の本実施形態のシステムを、インターネットの利用者が情報を探すときに最初にアクセスするポータルサイトとして用いることもできる。これにより、このポータルサイトを利用して、例えば、インターネット等で限られた地域のタウン情報を提供する企業は、タウン情報の広告主である、例えば美容院や居酒屋等の個人商店からの低額な広告料を個々に集金する手間を省くことができる。すなわち、通常、各広告主は、トイレ用消耗品を使用しているので、この場合の広告料の決済を、トイレ用消耗品の決済において行うことが可能となり、個々の商店から個別に集金する手間を省くことができる。このように、本システムは、簡易な決済システムとして使用することもできる。なお、広告料だけでなく、顧客が扱うトイレ用消耗品以外の商品、例えば、レストランであれば、野菜や肉等の材料を購入するときの決済を、本システムを用いて行うこともできる。
【００３３】
　［他の実施形態］
　上記の実施形態で、トイレットペーパホルダに携帯端末と同等の機能を有する端末を組み込んでおく場合や、アクセス先が限定された携帯電話をトイレに配置しておく場合について説明した。これらの場合、予め端末に警報用の識別番号を記憶させておき、利用者があるキー操作を行うことにより、或いは専用の警報ボタンを押下することにより、その警報用の識別番号を管理用サーバに送信させ、管理用サーバは、その警報用の識別番号を受信したときには、警報を発した端末（トイレ）の位置を示す情報をディスプレイに表示すると共に、音或いは画面で警報を発するようにしてもよい。これにより、管理者は容易にトイレの位置を確認することができので、トイレの利用者、特に高齢者がトイレで倒れたときに、迅速に救助活動を行うことが可能となる。この場合、管理用サーバは、例えば、各空港毎に又は各デパート毎に配置することが望ましい。迅速な救助を行うためである。この警報システムは、上記の情報提供システムと同時に、実施してもよいし、独立したシステムとして実施するようにしてもよい。独立したシステムとする場合には、インターネットだけでなく、専用回線等を用いて端末と管理用サーバとを接続するようにしてもよい。
【００３４】
　本発明は、上記の実施形態に限定されるものではなく、その要旨の範囲内において種々の変形が可能である。例えば、識別番号等を表示するのは、トイレットペーパホルダや便座シートのホルダに限定されるものではなく、トイレ内であればどこでもよい。
【００３５】
　また、上記の実施形態では、端末から管理用サーバにアクセスする場合について説明したが、管理用サーバを介することなく、直接、広告主のホームページにアクセスできるように、広告主のホームページのアドレスと識別番号を表示するようにしてもよい。
【００３６】
　また、上記の実施形態では、曜日によってジャンプさせるホームページのアドレスを変更する場合について説明したが、曜日だけでなく、或いは曜日とともに、時間によってジャンプさせるホームページを変更するようにしてもよい。例えば、居酒屋の広告であれば、早朝よりも夕方からの広告が効果的であると考えられる。
【００３７】
　また、上記の実施形態では、トイレで広告を行う場合について説明したが、トイレ以外に電話ボックス、自動販売機、駅の伝言板、駅のホーム等であってもよいし、提供する情報は広告だけなく、天気予報や交通情報等であってもよい。
【００３８】
　また、識別番号等を表示するのは、トイレ内に限定されるものではなく、識別番号等は、レストラン等のテーブル上に置かれているテーブルナプキンホルダやテーブルに表示するようにしてもよい。これにより、レストラン等の顧客は、広告料収入を得ることができ、係る広告料収入と、テーブルナプキンや料理用材料等のレストラン用消耗品の購入費用とを本システムにおいて決済することができる。
【産業上の利用可能性】
【００３９】
　以上説明したように、本発明の警報システムによれば、利用者はトイレに配置してある端末のキー或いは専用ボタンを操作することにより、管理者は容易にトイレの位置を確認することができる。したがって、本発明は、トイレの利用者、特に高齢者がトイレで倒れたときに、迅速に救助活動を行うことが可能となる。
【００４０】
　以上説明したように、本発明の情報提供システムによれば、各場所毎に、予め固有の識別情報を付与し、ホームページのアドレスと共に、その識別情報を表示しておき、端末からホームページにアクセスがあったときに、端末から送られてきた識別情報に対応する情報を、その端末に表示することができる。したがって、対象者を絞り込んだ効果的なオンライン広告等の情報提供を行うことができる
【図面の簡単な説明】
【００４１】
【図１】本発明の１実施形態である情報提供システムの概略ブロック図である。
【図２】（Ａ）は識別番号と広告主のホームページのアドレスとの対応関係を示すテーブルの一例を示す図、（Ｂ）は広告箇所を指定するときに表示される画面を示す図である。
【図３】本実施形態の情報提供システムの処理手順を示すタイミングチャートである。
【符号の説明】
【００４２】
　１０　　管理用サーバ、　１１　　広告主サーバ、　１２　　端末、
　１５　　インターネット
【図１】
2004005743.tif 000003
【図２】
2004005743.tif 000004
【図３】
2004005743.tif 000005